(57)【要約】  本発明は、移動通信システムにおける無線リソース管理のための方法及びＵＥ装置を提供する。ＵＥの不連続受信周期又は送受信非アクティブ区間がしきい値を超える場合に、ＥＮＢは、ＵＥに割り当てられたアップリンク制御情報伝送のためのリソースを解除し、かつ、ＵＥは、上記リソースの解除を認知するとともに、このリソースを通じるアップリンク制御情報の伝送を中断する。これは、ＵＥが新たな不連続受信モードに進入する度に必要なＲＲＣメッセージを通じる明示的な再構成手順を短縮することができる。
2010524328.tif 000002
【特許請求の範囲】
【請求項１】
移動通信システムにおけるユーザー端末(ＵＥ)と基地局(ＥＮＢ)との間で無線リソースを管理する方法であって、
前記ＵＥが所定周期によってデータを不連続的に受信する不連続受信モードに進入する場合に、前記所定周期を前記ＵＥとＥＮＢとの間で予め定められた不連続受信周期のしきい値と比較するステップと、
前記所定周期が前記不連続受信周期のしきい値より大きいか又は等しい場合には、ＵＥが前記不連続受信モードに進入する前にアップリンク制御情報の伝送のために割り当てられた無線リソースが解除されたことを認知するとともに、前記無線リソースを通じるアップリンク制御情報の伝送を中断するステップと
を具備することを特徴とする方法。
【請求項２】
移動通信システムにおける無線リソースを管理するためのユーザー端末(ＵＥ)装置であって、
ダウンリンクパイロットチャンネルに対する測定を遂行する測定部と、
前記測定部による前記測定を用いてアップリンク制御情報を生成する制御情報生成部と、
前記ＵＥが所定周期を有する不連続受信モードに進入する場合に、前記所定周期を前記ＵＥと基地局(ＥＮＢ)との間で予め定められた不連続受信周期のしきい値と比較する比較部と、
前記所定周期が前記不連続受信周期のしきい値より大きいか又は等しい場合に、前記ＵＥが前記不連続受信モードに進入する前に前記アップリンク制御情報の伝送のために割り当てられた無線リソースが解除されたことを認知するとともに、前記無線リソースを通じる前記アップリンク制御情報の伝送を中断する送受信部とを具備することを特徴とする装置。
【請求項３】
移動通信システムにおける基地局(ＥＮＢ)とユーザー端末(ＵＥ)との間で無線リソースを管理する方法であって、
ＵＥがデータを不連続的に受信する不連続受信モードに進入する場合に、所定長さのタイマーを開始するステップと、
前記タイマーが終了する前に新たなデータの送信又は受信が発生する場合に、前記タイマーを再開始するステップと、
前記タイマーが終了した場合には、前記ＵＥが前記不連続受信モードに進入する前に前記アップリンク制御情報の伝送のために割り当てられた無線リソースが解除されたことを認知するとともに、前記アップリンク制御情報の伝送を中断するステップとを具備することを特徴とする方法。
【請求項４】
前記タイマーが終了する前には、前記ＵＥが前記不連続受信モードに進入する前に前記アップリンク制御情報の伝送のために割り当てられた無線リソースを通じて前記アップリンク制御情報を伝送するステップをさらに具備することを特徴とする請求項３に記載の方法。
【請求項５】
前記タイマーは、前記ＵＥが前記ＥＮＢとデータを交換しない非アクティブ区間のしきい値を示すことを特徴とする請求項３に記載の方法。
【請求項６】
前記アップリンク制御情報の伝送は、チャンネル品質情報(ＣＱＩ)の伝送を含むことを特徴とする請求項３に記載の方法。
【請求項７】
前記アップリンク制御情報の伝送は、ダウンリンク伝送に対する肯定応答(ＡＣＫ)又は否定応答(ＮＡＣＫ)信号の伝送を含むことを特徴とする請求項３に記載の方法。
【請求項８】
前記アップリンク制御情報の伝送は、サウンディング情報の伝送を含むことを特徴とする請求項３に記載の方法。
【請求項９】
移動通信システムにおける無線リソースを管理するためのユーザー端末(ＵＥ)装置であって、
ダウンリンクパイロットチャンネルに対する測定を遂行する測定部と、
前記測定部による前記測定を用いてアップリンク制御情報を生成する制御情報生成部と、
データを不連続的に受信される不連続受信モードで、新たなデータの送受信が発生する場合に開始されるタイマーと、
前記タイマーの終了以前に、前記ＵＥが前記不連続受信モードに進入する前に基地局(ＥＮＢ)によって割り当てられた無線リソースを通じて前記アップリンク制御情報を伝送し、かつ、前記タイマーが終了する場合に、前記無線リソースが解除されたことを認知して前記無線リソースを通じる前記アップリンク制御情報の伝送を中断する送受信部とを具備することを特徴とするＵＥ装置。
【請求項１０】
前記タイマーは、前記ＵＥが前記ＥＮＢとデータを交換しない非アクティブ区間のしきい値に至るまで動作することを特徴とする請求項９に記載のＵＥ装置。
【請求項１１】
前記アップリンク制御情報は、チャンネル品質情報(ＣＱＩ)を含むことを特徴とする請求項９に記載のＵＥ装置。
【請求項１２】
前記アップリンク制御情報は、ダウンリンク伝送に対する肯定応答(ＡＣＫ)又は否定応答(ＮＡＣＫ)信号を含むことを特徴とする請求項９に記載のＵＥ装置。
【請求項１３】
前記アップリンク制御情報は、サウンディング情報を含むことを特徴とする請求項９に記載のＵＥ装置。
【発明の詳細な説明】
【技術分野】
【０００１】
本発明は、一般的な移動通信システムに関するもので、特に移動通信システムで無線リソース制御(Radio  Resource  Control：以下、“ＲＲＣ”と称する)接続モード及び不連続受信(Discontinuous Reception：以下、“ＤＲＸ”と称する)モードで動作するユーザー端末(ＵＥ)に対する無線リソース管理方法及びそのＵＥに関する。
【背景技術】
【０００２】
ＵＭＴＳ(Universal Mobile Telecommunication Service)システムは、ヨーロッパ式移動通信システムであるＧＳＭ(Global  System  for  Mobile  Communications)とＧＰＲＳ(General  Packet  Radio  Services)に基づき、広帯域符号分割多重アクセス(Code  Division  Multiple  Access：以下、“ＣＤＭＡ”と称する)を使用する第３世代(３Ｇ)非同期移動通信システムである。ＵＭＴＳ標準化を担当している３ＧＰＰ(3rd  Generation  Partnership  Project)では、次世代移動通信システムとしてＬＴＥ(Long  Term  Evolution)システムに関する論議が進行中である。ＬＴＥ技術は、２０１０年までに商用化を目標としており、１００Ｍｂｐｓ程度の速度で高速パケットベースの通信を実現する。したがって、ネットワークの構造を単純化して通信経路に位置したノードの数を減少させる方案、及び無線プロトコルをできるだけ近く無線チャンネルに近接させる方案などを含む多様な方案が議論されている。
【０００３】
図１は、本発明が適用される次世代ＵＭＴＳ移動通信システムの構成の一例を示す。図１を参照すれば、次世代無線アクセスネットワーク(Evolved  UMTS  Radio  Access  Network：以下、“Ｅ-ＲＡＮ”と称する)１１０，１１２は、それぞれ次世代基地局(Evolved  Node  B：以下、“ＥＮＢ”と称する)１２０，１２２，１２４，１２６，１２８とアンカーノード(anchor  node)(Enhanced  Gateway  GPRS  Support  Nodes：ＥＧＧＳＮ)１３０，１３２の単純化した２個のノード構造を有する。ユーザー端末(ＵＥ)１０１は、Ｅ-ＲＡＮ１１０又は１１２を通じてインターネットプロトコル(Internet  Protocol：以下、“ＩＰ”と称する)ネットワーク１１４に接続される。ＥＮＢ１２０〜１２８は、ＵＭＴＳシステムの既存のＮｏｄｅ  Ｂに対応し、無線チャンネルを通じてＵＥ１０１に接続される。しかしながら、既存のＮｏｄｅ  Ｂとは異なり、ＥＮＢ１２０〜１２８は、より複雑な役割を遂行する。ＬＴＥにおいて、インターネットプロトコルを用いるＶｏＩＰ(Voice  over  IP)のようなリアルタイムサービスを含むすべてのユーザートラフィックは、共有チャンネル(shared  channel)を通じて提供される。したがって、ＬＴＥは、ＵＥの状態情報を集め、この集められた情報を用いてスケジューリングを遂行するための装置を要求する。ＥＮＢ１２０〜１２８は、スケジューリングを制御する。通常、一つのＥＮＢは、複数のセルを制御する。また、ＥＮＢは、ＵＥのチャンネル状態によって変調方式(Modulation  scheme)とチャンネル符号化率(Channel  coding  rate)を決定する適応変調符号化(Adaptive  Modulation  &  Coding：以下、“ＡＭＣ”と称する)を遂行する。ＵＭＴＳのＨＳＤＰＡ(High  Speed  Downlink  Packet  Access)、“Ｅ-ＤＨＣ(Enhanced Dedicated Channel)”とも呼ばれるＨＳＵＰＡ(High  Speed  Uplink  Packet  Access)のように、ハイブリッド自動再送要求(Hybrid Automatic Repeat Request：ＨＡＲＱ)は、ＬＴＥでもＥＮＢ１２０〜１２８とＵＥ１０１との間で遂行される。ＨＡＲＱプロセスは、以前に受信されたデータを廃棄せずに再伝送されたデータとソフト結合することによって、受信の成功率を向上させる。ＨＡＲＱプロセスは、ＨＳＤＰＡ及びＥ-ＤＣＨのような高速パケット通信で伝送効率を向上させる。１００Ｍｂｐｓの最大伝送速度を実現するために、ＬＴＥは、２０ＭＨｚの帯域幅で直交周波数分割多重(Orthogonal  Frequency  Division  Multiplexing：ＯＦＤＭ)方式を無線接続技術として使用すると予想される。しかしながら、ＨＡＲＱのみでは多様なサービス品質(Quality  of  Service：ＱｏＳ)の要求を満たすことができないため、上位階層での別途(Outer)のＡＲＱがＵＥ１０１とＥＮＢ１２０〜１２８との間で遂行され得る。
【０００４】
上記したような無線通信において、高品質のデータサービスの低下は、主にチャンネル環境に起因する。この無線通信のチャンネル環境は、加法的白色ガウス雑音(Additive  White  Gaussian  Noise：ＡＷＧＮ)だけでなく、フェージング(fading)による受信信号の電力変化、シャドウイング(shadowing)、ＵＥの移動及び頻繁な速度変化によるドップラー(doppler)効果、及び多重経路信号又は他のユーザーによる干渉などに従って頻繁に変化する。通常のＯＦＤＭシステムでフェージングを克服するために使用される主な方式のうちの一つが、ＡＭＣ方式である。ＡＭＣ方式によれば、変調方式及び符号化方式は、ダウンリンク(ＤＬ)でチャンネル変化に従って適応的に制御される。
【０００５】
チャンネル変化によるＡＭＣ方式又は電力制御をＤＬチャンネルに適用するために、ＵＥは、受信されたダウンリンク信号のチャンネル品質情報(Channel  Quality  Information：ＣＱＩ)をＥＮＢにレポートしなければならない。通常に、ＣＱＩは、ＵＥによって受信された信号の信号対雑音比(Signal  to  Noise  Ratio：ＳＮＲ)を測定して検出することができる。ＥＮＢは、ＵＥからＣＱＩを受信すると、ＵＥのダウンリンクチャンネル状態に関する情報を獲得し、この獲得されたＤＬチャンネル状態情報に基づいて該当変調方式及び符号化方式を設定するか、あるいは電力を制御することができる。一方、チャンネル変化によるＡＭＣ方式又は電力制御をアップリンク(ＵＬ)チャンネルに適用するために、ＵＥは、アップリンクに所定のパターンのパイロット信号(“基準信号(Reference  Signal：ＲＳ)”とも呼ばれる)を伝送しなければならない。以下、上記のようなＵＬパイロット信号は“サウンディング(sounding)”と呼ぶ。ＥＮＢは、受信されたサウンディングを通じてアップリンクチャンネル状態を測定し、この測定されたアップリンクチャンネル状態に基づいて該当変調方式及び符号化方式を設定するか、あるいは電力を制御することができる。
【０００６】
ＣＱＩ、サウンディング、又は肯定応答/否定応答(ＡＣＫ/ＮＡＣＫ)のようなダウンリンクＨＡＲＱの伝送に対応するアップリンクＨＡＲＱに関する応答情報は、一般的に“アップリンク制御情報”として呼ばれる。
【０００７】
図２は、ＲＲＣ接続モードにあるＵＥの不連続受信(ＤＲＸ)動作の一例を示す。
【０００８】
３ＧＰＰにおいて、３ＧＰＰ  ＬＴＥシステムのＵＥの無線モードは、大きくＲＲＣアイドル(idle)モードとＲＲＣ接続モードに分類される。ＲＲＣアイドルモードとＲＲＣ接続モードの定義は、３ＧＰＰ  ＴＳ３６.３００に基づく。
【０００９】
一般的に、ＲＲＣアイドルモードは、ＥＮＢが無線ベアラ(Radio  Bearer：ＲＢ)コンテキスト及びＵＥコンテキストの情報を有しなく、アンカーノードがＵＥのコンテキスト情報を有し、ＵＥの位置をセル単位でなくページング(paging)のためのＴＡ(Tracking  Area)単位で管理するＵＥの状態を意味する。また、ＲＲＣ接続モードは、アンカーノードだけでなく、ＥＮＢがＲＢコンテキストとＵＥコンテキストの情報(サービスコンテキスト情報を含む可能性も排除せず)を有するＵＥの状態を意味する。ＲＲＣ接続は、ＵＥとＥＮＢとの間で設定され、それによってＵＥの位置をセル単位で管理することができる。一般的に、特定サービスのためのデータを受信及び/又は送信するために、ＲＲＣアイドルモードのＵＥは、まず、ＥＮＢとＲＲＣ接続を設定してこのＥＮＢにＵＥコンテキスト情報をレポートし、その後にアンカーノードとシグナリング接続を設定してＵＥコンテキストとサービスコンテキスト情報を上記アンカーノードにレポートしなければならない。しかしながら、ＲＲＣ接続モードのＵＥは、ＥＮＢから直接に該当無線リソースが割り当てられ、その後に上記リソースを通じて特定のサービスに対するデータを受信及び/又は送信することができる。
【００１０】
ＤＲＸ動作は、ＵＥに連続的にデータを伝送する必要がない場合に、チャンネルの連続受信を通じて電力を継続して消耗する代わりに、特定区間のみでチャンネルの不連続受信を通じてＵＥの電力消耗(Power  consumption)を最小化する。このＤＲＸは、一般的に次のような要素を含む。
【００１１】
-アクティブ区間(Active  Period)：ＵＥの受信器がオン(On)である区間、又は不連続受信がサービス別に設定されている場合に該当サービスのデータ受信が予想される区間
-スリープ区間(Sleep  Period)：ＵＥの受信器がオフ(Off)である区間、又は不連続受信がサービス別に設定されている場合に該当サービスのデータ受信が予想されない区間。ＵＥ受信器がオフであるか否かは、他のサービスのアクティブ区間と重複されるスリープ区間によって決定される。
-不連続受信周期(ＤＲＸサイクル長；２１０，２２０)：アクティブ区間の間の周期又は長さ
【００１２】
図２には同一の長さを有するアクティブ区間を示しているが、ポイント２０５，２１５，２２５から開始されるアクティブ区間は相互に異なる長さを有することができる。
【００１３】
ＵＥが上記のように不連続受信モードにある場合に、アップリンク制御情報は、連続受信モードと同じ程度の情報が要求されることではない。例えば、ＣＱＩを伝送するために、連続受信モードで割り当てられた無線リソースは、不連続受信モードでのスリープ区間と頻繁に重複されると、スリープ区間で複数のＣＱＩを伝送し、あるいはＣＱＩを複数回伝送することは、ＵＥの電力消耗の側面で望ましくない。また、ダウンリンク伝送はスリープ区間で発生しないため、複数のＣＱＩは実際に使用されない。さらに、ＵＥが複数のＣＱＩの伝送を実際に遂行しないにもかかわらず、ＣＱＩの伝送のための無線リソースが予め割り当てられるので、無線リソースの浪費をもたらす。
【００１４】
したがって、ＵＥが新たな不連続受信モードに進入する場合に、以前の連続受信モード又は不連続受信モードで割り当てられたアップリンク制御情報伝送リソースを再構成する必要がある。したがって、ＲＲＣメッセージを通じる明示的再構成手順を遂行することが必要であり、これはシグナリングオーバーヘッドの原因となる。
【発明の概要】
【発明が解決しようとする課題】
【００１５】
したがって、本発明は上記した従来技術の問題点に鑑みてなされたものであって、その目的は、ＵＥが新たな不連続受信モードに進入する度にＲＲＣメッセージを通じる明示的な再構成手順を短縮させる無線リソース管理方法及びそのＵＥ装置を提供することにある。
【課題を解決するための手段】
【００１６】
上記のような目的を達成するために、本発明の一態様によれば、移動通信システムにおけるユーザー端末(ＵＥ)と基地局(ＥＮＢ)との間で無線リソースを管理する方法であって、ＵＥが所定周期によってデータを不連続的に受信する不連続受信モードに進入する場合に、所定周期をＵＥとＥＮＢとの間で予め定められた不連続受信周期のしきい値と比較するステップと、所定周期が不連続受信周期のしきい値より大きいか又は等しい場合には、ＵＥが不連続受信モードに進入する前にアップリンク制御情報の伝送のために割り当てられた無線リソースが解除されたことを認知するとともに、無線リソースを通じるアップリンク制御情報の伝送を中断するステップとを具備することを特徴とする。
【００１７】
本発明の他の態様によれば、移動通信システムにおける無線リソースを管理するためのＵＥ装置であって、ダウンリンクパイロットチャンネルに対する測定を遂行する測定部と、測定部による測定を用いてアップリンク制御情報を生成する制御情報生成部と、ＵＥが所定周期を有する不連続受信モードに進入する場合に、所定周期をＵＥとＥＮＢとの間で予め定められた不連続受信周期のしきい値と比較する比較部と、
所定周期が不連続受信周期のしきい値より大きいか又は等しい場合に、ＵＥが不連続受信モードに進入する前にアップリンク制御情報の伝送のために割り当てられた無線リソースが解除されたことを認知するとともに、無線リソースを通じるアップリンク制御情報の伝送を中断する送受信部とを具備することを特徴とする。
【００１８】
また、本発明の他の態様によれば、移動通信システムにおけるＥＮＢとＵＥとの間で無線リソースを管理する方法であって、ＵＥがデータを不連続的に受信する不連続受信モードに進入する場合に、所定長さのタイマーを開始するステップと、タイマーが終了する前に新たなデータの送信又は受信が発生する場合に、タイマーを再開始するステップと、タイマーが終了した場合には、ＵＥが不連続受信モードに進入する前にアップリンク制御情報の伝送のために割り当てられた無線リソースが解除されたことを認知するとともに、アップリンク制御情報の伝送を中断するステップとを具備することを特徴とする。
【００１９】
さらに、本発明の他の態様によれば、移動通信システムにおける無線リソースを管理するためのＵＥ装置であって、ダウンリンクパイロットチャンネルに対する測定を遂行する測定部と、測定部による測定を用いてアップリンク制御情報を生成する制御情報生成部と、データを不連続的に受信される不連続受信モードで、新たなデータの送受信が発生する場合に開始されるタイマーと、タイマーの終了以前に、ＵＥが不連続受信モードに進入する前にＥＮＢによって割り当てられた無線リソースを通じてアップリンク制御情報を伝送し、かつ、タイマーが終了する場合に、無線リソースが解除されたことを認知して無線リソースを通じるアップリンク制御情報の伝送を中断する送受信部とを具備することを特徴とする。
【発明の効果】
【００２０】
本発明は、ＵＥの不連続受信周期又は非アクティブ区間(inactivity  period)がしきい値を超える場合に、ＥＮＢは、ＵＥに割り当てられたアップリンク制御情報伝送のためのリソースを解除し、ＵＥは上記リソースの解除を認識し、そのリソースを通じる制御情報の伝送を中断する。その結果、本発明は、ＵＥが新たな不連続受信モードに進入する場合に必要なＲＲＣメッセージを通じて明示的な再構成手順を短縮させる効果を有する。
【図面の簡単な説明】
【００２１】
【図１】本発明が適用される次世代ＵＭＴＳ移動通信システム構成の一例を示す図である。
【図２】ＲＲＣ接続モードでＵＥのＤＲＸ動作の一例を示す図である。
【図３】本発明の第１の実施形態によるＲＲＣ接続モード及びＤＲＸモードで動作するＵＥのアップリンク制御情報伝送リソースの暗黙的な解除方法を示す図である。
【図４】本発明の第１の実施形態によるＵＥの動作を示すフローチャートである。
【図５】本発明の第１の実施形態によるＵＥを示すブロック構成図である。
【図６】本発明の第２の実施形態によるＲＲＣ接続モード及びＤＲＸモードで動作するＵＥのアップリンク制御情報伝送リソースの暗黙的な解除方法を示す図である。
【図７】本発明の第２の実施形態によるＵＥの動作を示すフローチャートである。
【図８】本発明の第２の実施形態によるＵＥを示すブロック構成図である。
【発明を実施するための形態】
【００２２】
以下、本発明の望ましい実施形態を添付の図面を参照して詳細に説明する。
【００２３】
次の説明において、本発明に関連した公知の機能及び構成に関する具体的な説明が本発明の要旨を不明にすると判断された場合に、その詳細な説明を省略する。また、次の説明における多様な特定の定義は、本発明の一般的な理解を助けるために提供されるだけであって、上記のような定義はなくとも本発明が実現できることは当該技術分野における通常の知識を有する者には明らかである。
【００２４】
＜第１の実施形態＞
本発明の第１の実施形態によると、連続受信モード又は不連続受信モードから新たな不連続受信周期を有する不連続受信モードに進入すると、ＵＥは、新たな不連続受信周期をＵＥとＥＮＢとの間で予め設定された不連続受信周期のしきい値と比較する。新たな不連続受信周期が不連続受信周期のしきい値より大きいか、又は等しい場合に、ＵＥ及びＥＮＢは、以前の連続モード又は不連続モードで割り当てられたアップリンク制御情報伝送のための無線リソースを暗黙的に(implicitly)解除する。アップリンク制御情報伝送のための無線リソースが暗黙的に解除されたことを認識すると、ＵＥは、無線リソースを用いるアップリンク制御情報の伝送を中断する。不連続受信周期のしきい値は、ＵＥ専用のシグナリングを通じて、セル内でブロードキャスティングされるシステム情報を通じて、あるいは一つの固定値にハードコードされることによって、ＵＥとＥＮＢとの間で予め設定されることができる。
【００２５】
図３は、本発明の第１の実施形態によるＲＲＣ接続モード及び不連続受信モードで動作するＵＥのアップリンク制御情報伝送リソースの暗黙的な解除方法を示す。図３ではアップリンク制御情報の一例としてＣＱＩを使用するが、本発明は、他のアップリンク制御情報に対しても適用できる。例えば、アップリンク制御情報は、ダウンリンク伝送に対するアップリンクＡＣＫ/ＮＡＣＫ、サウンディングなどを含むことができる。
【００２６】
図３を参照すると、３０１，３０３は、連続受信モードで動作するＵＥのために割り当てられるＣＱＩに対する無線リソースを通じてＣＱＩの伝送を示す。時点３２１で、ＵＥが明示的シグナリングを通じて又は所定の規則(rule)によって不連続受信周期３３１，３３３を有する不連続受信モードで動作し始めると、ＵＥは、ＥＮＢとの間で予め設定された不連続受信周期のしきい値３４１と新たな不連続受信周期３３１，３３３とを比較する。図３において、不連続受信周期のしきい値３４１が実際の不連続受信周期３３１，３３３より大きいため、ＵＥは、不連続受信モード３２１に進入する前に割り当てられたＣＱＩ伝送のための無線リソースがまだ有効であると見なし、該当タイミングの該当無線リソースを用いてＣＱＩを伝送する。
【００２７】
時点３２３で、明示的シグナリング３１３を通じて、あるいは所定の規則によって、ＵＥが不連続受信周期３３５，３３７を有する不連続受信モードで動作し始めると、ＵＥは、ＥＮＢとの間で予め設定された不連続受信周期のしきい値３４３と新たな不連続受信周期３３５，３３７とを比較する。このとき、不連続受信周期のしきい値３４３が実際の不連続受信周期３３５，３３７より小さいため、ＵＥは、現在の不連続受信モードに進入する前に使用されたＣＱＩ伝送のための無線リソースが既に解除されたと見なし、該当タイミングの該当無線リソースを通じるＣＱＩ伝送を中断する。
【００２８】
さらに、ＥＮＢは、明示的シグナリング３１３を通じて又は所定の規則によって、ＵＥが新たな不連続受信モード３２３に進入したことが感知されると、ＥＮＢは、ＵＥと予め設定された不連続受信周期のしきい値３４３が実際の不連続受信周期３３５，３３７より小さいと認知し、ＵＥが不連続受信モード３２３に進入する前に割り当てられたＣＱＩ伝送のための無線リソースがこれ以上に有効でないと見なす。したがって、ＥＮＢは、無線リソースを解除し、他のＵＥのためにこの無線リソースの再割り当てができる。
【００２９】
上述したように、不連続受信周期のしきい値３４１，３４３は、ＵＥ専用のシグナリングを通じて、あるいはセル内でブロードキャスティングされるシステム情報を通じて、もしくは一つの固定値にハードコードされることによって、ＵＥとＥＮＢとの間で予め設定されることができる。
【００３０】
図４は、本発明の第１の実施形態によるＵＥの動作を示すフローチャートである。図４を参照すると、ステップ４０１で、ＵＥは、新たなＤＲＸサイクル長(DRX  cycle  length)を有する不連続受信モードに進入する。その後、ステップ４１１で、ＵＥは、ステップ４０１で開始された不連続受信モードの不連続受信周期をＵＥとＥＮＢとの間で予め設定された不連続受信周期のしきい値と比較する。
【００３１】
ステップ４１１の比較結果、新たな不連続受信周期が不連続受信周期のしきい値より小さいと、ＵＥは、ステップ４２１で、ステップ４０１で開始された不連続受信モードに進入する前に割り当てられたＣＱＩ伝送のための無線リソースがまだ有効であると見なす。しかしながら、ステップ４１１の比較結果、新たな不連続受信周期が不連続受信周期のしきい値より大きいか、あるいは等しいと、ＵＥは、ステップ４２３で、ステップ４０１で開始された不連続受信モードに進入する前に割り当てられたＣＱＩ伝送のための無線リソースが解除されたと見なし、この無線リソースを通じるＣＱＩの伝送を中断する。
【００３２】
図５は、本発明の第１の実施形態によるＵＥを示すブロック構成図である。図５を参照すると、送受信部５０１は、ＥＮＢ間の信号の送受信を遂行する。ＵＥが明示的シグナリングを通じて、あるいは所定の規則によって新たな不連続受信周期を有する不連続受信モードに進入すると、ＤＲＸサイクル比較部５１１は、不連続受信周期のしきい値と新たな不連続受信周期とを比較する。ＤＲＸサイクル比較部５１１による比較結果に基づき、新たな不連続受信モードでも以前に割り当てられたＣＱＩ伝送のための無線リソースが有効であると決定されると、測定部５２１は、ダウンリンクパイロットチャンネルの測定を遂行し、ＣＱＩレポート生成部５３１は、その測定部５２１によって測定された値からＣＱＩを生成し、送受信部５０１は、不連続受信以前に割り当てられたＣＱＩ伝送のための無線リソースを用いて生成されたＣＱＩをＥＮＢに伝送する。
【００３３】
＜第２の実施形態＞
本発明の第２の実施形態によれば、非アクティブ区間の長さは、ＵＥとＥＮＢとの間で予め設定された非アクティブ区間のしきい値と比較する。新たな非アクティブ区間が非アクティブ区間のしきい値より大きいあるいは等しい場合には、ＵＥとＥＮＢは、以前の連続モード又は不連続モードで割り当てられたアップリンク制御情報伝送のための無線リソースを暗黙的に解除する。アップリンク制御情報伝送のための無線リソースが暗黙的に解除されたと認識すると、ＵＥは、この無線リソースを用いてアップリンク制御情報の伝送を中断する。非アクティブ区間のしきい値は、ＵＥ専用のシグナリングを通じて、セル内でブロードキャスティングされるシステム情報を通じて、あるいは一つの固定値にハードコードされることによって、ＵＥとＥＮＢとの間で予め設定されることができる。
【００３４】
図６は、本発明の第２の実施形態によるＲＲＣ接続モード及び不連続受信モードで動作するＵＥのアップリンク制御情報伝送リソースの暗黙的解除方法を示す。図６はアップリンク制御情報の一例としてＣＱＩを使用するが、本発明は、他のアップリンク制御情報に対しても適用できる。例えば、アップリンク制御情報は、ダウンリンク伝送に対応してアップリンクＡＣＫ/ＮＡＣＫ、サウンディングなどを含むことができる。
【００３５】
図６を参照すると、６０１，６０３は、連続受信モードで動作するＵＥのために割り当てられるＣＱＩ伝送のための無線リソースを通じてＥＮＢによるＣＱＩの伝送を示す。時点６２１で、ＵＥが、明示的シグナリング６１１を通じて、あるいは所定の規則によって不連続受信周期６３１，６３３，６３５を有する不連続受信モードで動作を開始すると、ＵＥは、ＥＮＢとの間で予め設定されたダウンリンク非アクティブ区間に対するタイマーをトリガーする。ＵＥが不連続受信モードで動作する間には、タイマーは、新たなダウンリンク伝送がある度に反復して再開始される。参照符号６５１，６５３，６５５は、それぞれの不連続受信モードの間にタイマーが最後のダウンリンク伝送に対して動作される区間を示す。
【００３６】
不連続受信モード６６１で最後のダウンリンク伝送で再開始されたタイマーは、タイマー動作区間６５１の終了以前に新たな不連続受信モード６６３が開始されるため、不連続受信モード６６３の最初のダウンリンク伝送によって再開始される。すなわち、不連続受信モード６６３の開始ポイントでは、不連続受信モード６６１の最後のダウンリンク伝送で再開始されたタイマーがまだ終了してないため、ＵＥは、連続受信モードで割り当てられたＣＱＩ伝送のための無線リソースがまだ有効であると見なし、該当タイミングの該当無線リソースを用いてＣＱＩを伝送する(６０５)。
【００３７】
また、不連続受信モード６６３でも、タイマーは、ダウンリンク伝送がある度に再開始される。さらに、最後のダウンリンク伝送によって再開始されたタイマーは、タイマー動作区間６５３が終了する前に不連続受信モード６６５の最初のダウンリンク伝送によって再開始される。不連続受信モード６６５の開始ポイントでも、タイマーがまだ終了していないため、ＵＥは、連続受信モードで割り当てられたＣＱＩ伝送のための無線リソースがまだ有効であると見なし、ＣＱＩを伝送する(６０７)。
【００３８】
不連続受信モード６６５の最後のダウンリンク伝送によって再開始されたタイマーは、次の不連続受信モードの最初のダウンリンク伝送を受信する前にタイマー動作区間６５５の終了ポイント６７１で終了する。このポイント６７１でタイマーが終了する場合に、ＵＥは、連続受信モードで割り当てられたＣＱＩ伝送のための無線リソースが解除されたと見なし、該当無線リソースを通じてＣＱＩの伝送を中断する。
【００３９】
ＣＱＩ伝送６０９は、タイマー動作区間が終了する時点６７１に先行する。したがって、ＵＥは、連続受信動作で割り当てられた無線リソースを通じてＣＱＩを伝送することができる。さらに、時点６７１以後に、ＥＮＢは、他のＵＥのアップリンク制御情報伝送のために、連続受信動作で割り当てられた無線リソースの再割り当てができる。
【００４０】
図６は、ダウンリンク伝送に対する非アクティブ区間のしきい値(タイマー)の使用を説明しているが、本発明の第２の実施形態によって、アップリンク伝送又はダウンリンク及びアップリンク伝送に対する非アクティブ区間の長さを非アクティブ区間のしきい値(タイマー)と比較し、連続受信動作で割り当てられたアップリンク制御情報伝送のための無線リソースを暗黙的に解除する方法を採用することが可能になる。この方法によって、タイマーは、アップリンク伝送が発生する度に、あるいはダウンリンク伝送又はアップリンク伝送のうちいずれか一つが発生する度にタイマーが再開始される。
【００４１】
図７は、本発明の第２の実施形態によるＵＥの動作を示すフローチャートである。図７を参照すると、ステップ７０１で、ＵＥは、不連続受信モードに進入する。その後、ステップ７１１で、ＵＥは、ダウンリンク伝送に対する非アクティブ区間のしきい値を示すタイマーをトリガーする。タイマーは、ＵＥ専用のシグナリングを通じて、又はセル内でブロードキャスティングされるシステム情報を通じて、あるいは一つの固定値にハードコードされることによって、ＵＥとＥＮＢとの間で予め定められる。ステップ７２１で、タイマーが終了したか否かを判定する。タイマーが終了していない場合には、ＵＥは、ステップ７４１で、ステップ７０１で不連続受信モードに進入する前に割り当てられたＣＱＩ伝送のための無線リソースがまだ有効であると見なし、タイマーが終了するまでは無線リソースを通じてＣＱＩを伝送する。ステップ７５１で、ＵＥは、新たなダウンリンク伝送が発生したか否かを判定する。新たなダウンリンク伝送が発生しない場合には、ＵＥは、ステップ７２１に戻る。しかしながら、タイマーが終了する前に新たなダウンリンク伝送が発生する場合には、ＵＥは、ステップ７５３でタイマーを再開始する。
【００４２】
ステップ７２１の比較結果、タイマーが終了すると、ＵＥは、ステップ７３３で、ステップ７０１で開始された不連続受信モードに進入する前に割り当てられたＣＱＩ伝送のための無線リソースが解除されたと見なし、その無線リソースを通じてＣＱＩ伝送を中断する。
【００４３】
図８は、本発明の第２の実施形態によるＵＥを示すブロック構成図である。図８を参照すると、送受信部８０１は、ＥＮＢ間の信号の送受信を遂行する。明示的シグナリングを通じて、または所定の規則によって、ＵＥが新たな不連続受信周期を有する不連続受信モードに進入すると、ダウンリンク伝送に対する非アクティブ区間のしきい値を示すタイマー８１１が開始する。タイマー８１１は、送受信部８０１を通じてダウンリンク伝送が発生する度に再開始される。測定部８２１は、タイマー８１１が終了する前に、不連続受信モードへの進入前に割り当てられたＣＱＩ伝送のための無線リソースが有効であるという仮定に基づいてダウンリンクパイロットチャンネルの測定を遂行する。ＣＱＩレポート生成部８３１は、測定部８２１によって測定された値からＣＱＩを生成し、送受信部８０１は、不連続受信モードに進入する前に割り当てられたＣＱＩ伝送のための無線リソースを用いて生成されたＣＱＩをＥＮＢに伝送する。タイマー８１１が終了した場合に、送受信部８０１は、不連続受信モードに進入する前に割り当てられたＣＱＩ伝送のための無線リソースが解除されたと見なし、その無線リソースを通じてＣＱＩの伝送を中断する。
【００４４】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【００４５】
５０１，８０１・・・送受信部
５１１・・・ＤＲＸサイクル比較部
５２１，８２１・・・測定部
５３１，８３１・・・ＣＱＩレポート生成部
８１１・・・タイマー
【図１】
2010524328.tif 000003
【図２】
2010524328.tif 000004
【図３】
2010524328.tif 000005
【図４】
2010524328.tif 000006
【図５】
2010524328.tif 000007
【図６】
2010524328.tif 000008
【図７】
2010524328.tif 000009
【図８】
2010524328.tif 000010
【国際調査報告】
2010524328.tif 000011
2010524328.tif 000012